(57)【要約】【解決手段】一端部または両端部に、他方の方向を可撓性としたまま一方の方向の剛性を増大させるための補強部材を含む、保護ドレンカバーが開示される。一方の方向の剛性を増大させることで、使用のために保護ドレンカバーを取り扱う、および保護ドレンカバーを正確に位置付ける能力が向上し、他方の方向の可撓性により、保管および将来の使用のために保護カバーを巻き上げることが可能となる。補強部材は、重い保護ドレンカバーの配置、および使用後の保護ドレンカバーの取り外しを助けるための取手として使用され得る。【選択図】図１
2019529180.tif 000002
【特許請求の範囲】
【請求項１】
ドレン上に取り外し可能に取り付けるための耐久性のある保護カバーであって、
耐久性のあるバッキング層、および
漏洩が前記ドレンに入るのを遮断するように構造および配置される、柔軟な粘着性シール層を備え、
前記保護カバーが、その少なくとも一部分上に延在する第一の補強ロッドを備える第一の端部を有する、耐久性のある保護カバー。
【請求項２】
少なくともその一部分上に延在する第二の補強ロッドを備える、前記第一の端部の反対側の第二の端部をさらに備える、請求項１に記載の保護カバー。
【請求項３】
前記第一の補強ロッドが、前記保護カバーの前記第一の端部に沿って延びる第一のポケット内に少なくとも部分的に位置し、前記第二の補強ロッドが前記保護カバーの前記第二の端部に沿って延びる第二のポケット内に少なくとも部分的に位置する、請求項２に記載の保護カバー。
【請求項４】
前記第一および第二の補強ロッドが、接着剤によって前記第一および第二のポケット内に固定される、請求項３に記載の保護カバー。
【請求項５】
前記第一および第二の補強ロッドのそれぞれの一部分が、前記第一および第二のポケットの外側に露出してハンドルを提供する、請求項３に記載の保護カバー。
【請求項６】
前記保護カバーが、前記第一および第二の補強ロッドの前記露出した部分に隣接した領域に切欠き開口部を備える、請求項５に記載の保護カバー。
【請求項７】
前記第一の補強ロッドが二つの部品を備え、前記第二の補強ロッドが二つの部品を備える、請求項２に記載の保護カバー。
【請求項８】
前記第一の補強ロッドの前記二つの部品間の間隙、および前記第二の補強ロッドの前記二つの部品間の間隙をさらに備える、請求項７に記載の保護カバー。
【請求項９】
前記間隙が、前記第一および第二の補強ロッドの直径以上である、請求項８に記載の保護カバー。
【請求項１０】
前記第一および第二の補強ロッドが０．１〜１インチの直径を有する、請求項２に記載の保護カバー。
【請求項１１】
前記第一および第二の補強ロッドが１〜１０フィートの長さを有する、請求項２に記載の保護カバー。
【請求項１２】
前記耐久性のあるバッキング層が、少なくとも１フィートの長さ、および少なくとも１フィートの幅を有する、請求項１に記載の保護カバー。
【請求項１３】
前記耐久性のあるバッキング層が、約０．０１〜約０．２５インチの厚さを有し、天然ゴム、合成ゴム、ニトリルゴム、熱可塑性オレフィン、ポリ塩化ビニル、および／またはクロロスルホン酸ポリエチレンを含む、請求項１に記載の保護カバー。
【請求項１４】
前記柔軟な粘着性シール層が少なくとも１フィートの長さ、および少なくとも１フィートの幅を有する、請求項１に記載の保護カバー。
【請求項１５】
前記柔軟性のある粘着性シール層が０．０１〜２インチの厚さを有し、３０ショアＡ未満のデュロメータ硬度を有する、請求項１に記載の保護カバー。
【請求項１６】
前記柔軟な粘着性シール層が、ウレタン、ポリウレタン、ポリ塩化ビニル、および／またはシリコンを含む、請求項１に記載の保護カバー。
【請求項１７】
前記保護カバーが、前記耐久性のあるバッキング層と前記柔軟な粘着性シール層との間に低密度の結合層をさらに備える、請求項１に記載の保護カバー。
【請求項１８】
前記低密度の結合層が少なくとも０．０１インチの厚さを有する、請求項１７に記載の保護カバー。
【請求項１９】
前記低密度の結合層が、ポリエステル、ポリプロピレン、ポリ（エチレンプロピレン）、ポリ塩化ビニル、ガラス繊維、ナイロン、綿および／またはウレタンを含む交絡繊維を含む、請求項１に記載の保護カバー。
【請求項２０】
前記低密度の結合層と前記耐久性のあるバッキング層との間に接着層をさらに備える、請求項１に記載の保護カバー。
【発明の詳細な説明】
【技術分野】
【０００１】
［関連出願の相互参照］
本出願は、米国仮特許出願第６２／３９７，０９２号（２０１６年９月２０日出願）からの優先権を主張し、これは参照により本明細書に組み込まれる。
【０００２】
本発明は、漏洩した液体がドレンまたは孔に流入するのを防止するための、補強ロッドを備えた耐久性のある保護カバーに関する。
【背景技術】
【０００３】
可搬型保護カバーは、「Ｄｕｒａｂｌｅ  Ｐｒｏｔｅｃｔｉｖｅ  Ｃｏｖｅｒ  ｆｏｒ  Ｐｒｅｖｅｎｔｉｎｇ  Ｓｐｉｌｌｅｄ  Ｌｉｑｕｉｄｓ  ｆｒｏｍ  Ｆｌｏｗｉｎｇ  ｉｎｔｏ  Ｄｒａｉｎｓ  ｏｒ  Ｈｏｌｅｓ」と題された米国特許第８，１１７，６８６号に開示されており、これは参照により本明細書に組み込まれる。こうしたカバーは、液体がドレンに流入するのを防止するのに良好に機能するが、重いまたは大きいサイズのユニットは、それらの幅にわたる剛性が不足するために取り扱いや位置付けが困難になる場合がある。また、それらの本質的な粘着性は、ドレンからの取り外しに十分な力で保護カバーを把持することを容易にするための機構がないために、取り外しを困難にしかねない。
【発明の概要】
【０００４】
本発明は、一端部または両端部に、他方の方向を可撓性としたまま一方の方向の剛性を増大させるための補強部材を含む、保護ドレンカバーを提供する。一方の方向の剛性を増大させることで、使用のために保護ドレンカバーを取り扱う、および保護ドレンカバーを正確に位置付ける能力が向上し、他方の方向の可撓性により、保管および将来の使用のために保護カバーを巻き上げることが可能となる。補強部材は、重い保護ドレンカバーの配置、および使用後の保護ドレンカバーの取り外しを助けるための取手として使用され得る。
【０００５】
特定の実施形態において、保護ドレンカバーは、二つの両端部上に粘着性シール層から外向きに伸長した上部カバー層を含む。伸長した上部カバーの端部は、中空管などの補強部材の周りに巻かれ、それ自体上に固定され得る。上部カバーは、例えば、スティッチング、糊付け、リベット締め、ヒートシール、ＲＦシールまたは超音波シールによって、それ自体に固定され得る。伸長した上部カバー内にノッチまたは孔を切断して補強部材を露出させ、取手を作り出してもよい。各側面上の取手は、快適な把持のために１８〜３０インチ（中央から中央で）離して配置され得る。
【０００６】
別の実施形態では、保護ドレンカバーは、粘着性シール層内に配置または成形された補強部材を含む。ノッチまたは孔が、耐久性のある上部層と粘着性シール層との組み合わせに配置されて取手を作り出してもよい。粘着性シール層の厚さは、大きな直径の補強部材には適合しない場合があるため、埋め込まれる補強部材は比較的小さな直径を有し得る。保持快適性を増大させるために、小さな直径の補強部材は、それを覆う大きな管またはエンケースメントを取手領域内に有してもよい。
【０００７】
本発明の一態様は、漏洩がドレンに入ることを遮断するように構造および配置された、耐久性のあるバッキング層と柔軟な粘着性シール層とを含む、ドレン上に取り外し可能に取り付けるための耐久性のある保護カバーを提供するものであり、保護カバーは、その少なくとも一部分上に延在する第一の補強ロッドを含む第一の端部を有する。特定の実施形態では、保護カバーは、その少なくとも一部分上に延在する第二の補強ロッドを含む、第一の端部の反対側の第二の端部を有する。
【０００８】
本発明の本態様およびその他の態様は、以下の記述からより明らかとなるであろう。
【図面の簡単な説明】
【０００９】
【図１】図１は、本発明の一実施形態によるドレン上に取り付けられた保護カバーの等角図である。
【００１０】
【図２】図２は、図１の保護カバーの一部を破損した上面図である。
【００１１】
【図３】図３は、図１の保護カバーの分解等角図である。
【００１２】
【図４】図４は、本発明の別の実施形態による保護カバーの分解等角図である。
【００１３】
【図５】図５は、本発明の別の実施形態による保護カバーの等角図である。
【００１４】
【図６】図６は、本発明の一実施形態による保護カバーの一部分の一部概略側面断面図である。
【００１５】
【図７】図７は、本発明の別の実施形態による保護カバーの一部分の一部概略側面断面図である。
【発明を実施するための形態】
【００１６】
本発明は、漏洩および／またはその他の不必要な液体がドレンまたは孔に流入することを防止する耐久性のある保護カバーを提供する。液体の少なくとも一部分は、保護カバーによってドレンまたは孔に流入することを防止される。漏洩または不必要な液体は、ドレンなどの中に入れないことが望まれる危険な液体、雨水、炭化水素、化学物質、破片、汚れ、ゴミなどの任意の流動性材料であり得る。本明細書で使用される場合、「ドレンまたは孔」という用語は、それを通した漏洩または不必要な液体の流れが防止されることが望ましい、通気孔、マンホールなどの任意のドレン、孔またはその他の開口部を意味する。
【００１７】
図１〜図３は、本発明の一実施形態による保護カバー１０を図示する。保護カバー１０は、耐久性のあるバッキング層１２および柔軟な下側粘着性シール層１４を含む。保護カバー１０はドレン１６上に取り付けられる。第一のポケット１７が保護カバー１０の一方の端部に提供され、第二のポケット１８が保護カバーの第一の端部の反対側の第二の端部に提供される。二つの手孔１９は、保護カバー１０の第一および第二の端部の近くに提供される。第一の補強ロッド２２は第一のポケット１７に挿入され、第二の補強ロッド２３は第二のポケット１８に挿入される。第一の補強ロッド２２および第二の補強ロッド２３は、手孔１９の領域で露出しているが、その他の方法では、それぞれ第一のポケット１７および第二のポケット１８の内側に位置している。図示した実施形態では、保護カバー１０は二つの補強ロッド２２および２３を含むが、当然のことながら、特定の実施形態では、一つの補強ロッドのみが使用されてもよい。
【００１８】
図２および図３で最も明瞭に示されるように、補強ロッド２２および２３のそれぞれは、その間に間隙Ｇを有する二つの別個の部品として提供されてもよい。この実施形態によれば、二部補強ロッド設計により、保護カバー１０は、搬送および保管のために望ましい場合、長さ方向に折り畳むことができる。間隙Ｇは、保護カバー１０の折り畳みを許容するのに十分に大きいものとし得る。例えば、間隙Ｇは、第一の補強ロッド２２および第二の補強ロッド２３の直径以上であり得る。別の実施形態では、間隙が除去され、補強ロッド２２および補強ロッド２３のそれぞれが単一の部品として提供されてもよい。
【００１９】
補強ロッド２２および補強ロッド２３のそれぞれは、固体金属または中空金属またはプラスチック（ＰＶＣ、無垢材など）などの任意の好適な材料から作製され得る。第一の補強ロッド２２および第二の補強ロッド２３は、例えば０．１〜１．５インチ、または０．２〜１インチ、または０．２５〜０．７５インチの任意の好適な直径を有し得る。第一の補強ロッド２２および第二の補強ロッド２３は、従来的な接着剤、機械的留め具などの任意の好適な手段によって、それらのそれぞれのポケット１７および１８内に固定され得る。
【００２０】
図４は、リベット、スナップ、またはねじなどの機械的留め具２５が、第一のポケット１７および第二のポケット１８を形成するのに使用される保護カバー１０の代替的な実施形態を図示する。図示する通り、耐久性のあるバッキング層１２は、それ自体の上に折り畳まれて第一のポケット１７および第二のポケット１８を形成し、留め具２５を使用して確実にポケットを維持する。
【００２１】
図５は、本発明の一実施形態による代替的な補強ロッド配置を備えた保護カバー１０を図示する。比較的小さい直径を有する第一の補強ロッド１２２が保護カバー１０の第一の端部に隣接して位置付けられ、比較的小さな直径を有する第二の補強ロッド１２３が保護カバー１０の第二の端部に位置する。中空シリンダ１２６は第一の補強ロッド１２２上に取り付けられ、手孔１９の領域内にハンドルを形成する。同様に、円筒形部材１２７は、第二の補強ロッド１２３上に取り付けられ、保護カバー１０の第二の端部の手孔領域にハンドルを提供する。第一の補強ロッド１２２および第二の補強ロッド１２３は、保護カバー１０の層間に積層されるなどの任意の好適な手段によって保護カバー１０に固定されてもよく、それによって端部ポケット（図示せず）は、図１〜図４の実施形態に示されるものと類似する。第一の補強ロッド１２２および第二の補強ロッド１２３は、０．１〜０．４インチの標準的な直径を有してもよく、また固体金属、プラスチック、または木材などの任意の好適な材料から作製され得る。第一の円筒形のハンドル部材１２６および第二の円筒形ハンドル部材１２７は、０．２〜１．５インチの標準的な直径を有してもよく、また中空のプラスチックまたは金属などの任意の好適な材料で作製され得る。
【００２２】
図６は、本発明の一実施形態による耐久性のある保護カバー１０の側面断面図である。保護カバー１０は、耐久性のあるバッキング層１２と、耐久性のあるバッキング層１２の下側の少なくとも一部分を覆う柔軟な粘着性シール層１４とを含む。低密度の結合層２０が、耐久性のあるバッキング層１２と柔軟な粘着性シール層１４との間に提供される。図示した保護カバー１０は概して正方形の形状であるが、長方形、円形などの任意のその他の好適な形状が使用され得る。
【００２３】
図１に示すように、保護カバー１０は、ドレン１６上に取り付けるために配置されて、不必要な液体がドレンに入るのを防止し得る。保護カバー１０は、ドレン１６を囲む表面に接着し、保護カバー１０を通過する少なくとも一部の液体の流れを防止するのに十分なシールを形成する。シール層１４は、ドレンを取り囲む表面が滑らかでないときでも、効果的なシールを作り出す。保護カバー１０は、保護カバー１０の柔軟な粘着性シール層１４の少なくとも一部分がドレン１６の寸法を超えて延在してその周りに十分なシールを形成するようにサイズ設定される限り、実質的にあらゆるタイプのドレンまたは孔１６を覆うのに利用され得る。一実施形態では、保護カバー１０は、比較的大きな領域、例えば、２５平方フィート以上までの少なくとも１平方フィート上に位置付けられ得る。別の実施形態では、保護カバー１０は、ドレンの一部分またはドレンの周りの領域を覆って防液堤または漏洩ダイバータとして機能するためのストリップ形態で提供されてもよい。
【００２４】
耐久性のあるバッキング層１２は、約１フィート〜約１０または１２フィートの長さ、および約１フィート〜約１０フィートまたは１２フィートの幅を有し得る。第一および第二の補強ロッドの長さは、耐久性のあるバッキング層の幅と類似していてもよい。シール層１４は、約１フィート〜約１０または１２フィートの長さ、および約１フィート〜約１０フィートまたは１２フィートの幅を有する。例えば、ドレン１６上に位置付けられた保護カバー１０は、ドレン１６の長さおよび幅よりも少なくとも２または３インチ大きい、バッキング層の長さおよび幅、ならびにシール層の長さおよび幅を有し得る。
【００２５】
耐久性のある層１２および柔軟な粘着性シール層１４の両方は、水、油および多くの化学物質に耐性があり、保護カバー１０を危険な作業環境を含む多くのタイプの作業環境での使用に適し得るものとする。保護カバー１０は容易に再使用可能であり、石鹸と水で簡単に洗浄される。
【００２６】
図６に示すように、低密度の結合層２０は、柔軟な粘着性シール層１４と耐久性のあるバッキング層１２との間に提供され得る。本明細書で使用される場合、「低密度の結合層」という用語は、層から延在して隣接する耐久性のあるバッキング層１２および／または柔軟な粘着性シール層１４のための追加の表面積および取付け部位を提供する交絡繊維を含む少なくとも一つの表面を有するディープパイルまたはロフティな材料を意味する。低密度の結合層２０は、一般に０．２６オンス／立方インチ、好ましくは０．０２〜０．１オンス／立方インチ未満の密度を有する。低密度の結合層２０は、少なくとも０．０１インチ、例えば０．０２〜０．２５インチの標準的な厚さを有する。一実施形態では、厚さは０．０４〜０．０６インチである。低密度の結合層２０は一般に、２０オンス／平方ヤード未満、例えば１〜１０オンス／平方ヤードの目付量を有する。低密度の結合層２０は、隣接する層１２および１４の材料間の分離を維持しながら、耐久性のあるバッキング層１２と柔軟な粘着性シール層１４との間の確実かつ永久的な取り付けを提供する。層１２および１４が相互に接触することを可能にする開放メッシュまたは透過型スクリーン材料とは対照的に、低密度の結合層２０は、層１２および１４の間の分離を維持する。
【００２７】
低密度の結合層２０は不織布であってもよく、ポリエステル、ポリプロピレン、ポリ（エチレンプロピレン）、ポリ塩化ビニル、ガラス繊維、ナイロン、綿、ウレタンなどで作製される交絡繊維を含んでもよい。一実施形態では、低密度の結合層２０は、そこから交絡繊維がバッキング層の一方または両側上に延在する、基部またはバッキング層を含む。例えば、低密度の結合層２０は、ポリエステルで作製され、０．０５５インチの厚さを有するフリースを含み得る。フリースは、耐久性のあるバッキング層１２への柔軟な粘着性シール層１４の接着を助ける。埋め込まれたフリース層はまた、例えば、車両往来にさらされるドレンのために保護カバーが使用されるときに、穿刺抵抗を提供し得る。したがって、保護カバーの上で走行してもよい。
【００２８】
耐久性のあるバッキング層１２は不透液性であり、可撓性かつ耐久性がある材料で作製される。耐久性のあるバッキング層１２は、粘着性シール層１４の引張強度より少なくとも２５パーセント高い引張強度を有し得る。一実施形態において、保護カバー１０は、ドレン上に位置付けられる間に産業用車両がその上を走行するのに十分な耐久性を有する。保護カバー１０はまた、カバー上の徒歩往来に耐えるのに十分な耐久性がある。耐久性のあるバッキング層１２は、天然ゴム、合成ゴム、ニトリルゴムまたはプラスチック（熱可塑性オレフィン、ポリ塩化ビニル、クロロスルホン酸ポリエチレンなど）などの任意の好適な材料を含み得る。一実施形態では、耐久性のあるバッキング層１２は複合材料であり得る。複合材料の例としては、プラスチックフィルムに積層されたゴム、メッシュに積層されたプラスチックフィルム、メッシュに積層されたゴム、およびそれらの組み合わせが挙げられる。耐久性のあるバッキング層１２の厚さは通常、０．０１〜０．２５インチの範囲である。
【００２９】
柔軟な粘着性シール層１４は、漏洩面の凹凸または粗さに適合してドレンを囲む表面に接着し、それによって、層１４と漏洩した液体の流れを低減または除去する表面との間のシールを提供するように、可撓性かつ粘着性がある。柔軟な粘着性シール層１４は、耐久性のあるバッキング層１２とは異なる材料から作製されてもよい。柔軟な粘着性シール層１４は、ウレタン、ポリウレタン、ポリ塩化ビニル、および／またはシリコンなどの材料を含み得る。柔軟な粘着性層１４は、デュロメータによって測定される、耐久性のあるバッキング層１２の硬度より少なくとも１０パーセント小さい硬度を有し得る。一実施形態において、柔軟な粘着性シール層は３０ショアＡ未満のデュロメータ硬度を有する。柔軟な粘着性シール層１４はまた、徒歩往来に対する衝撃吸収を提供し得、その粘着性表面により保護カバーをその所望の位置に保つのに役立ち得る。柔軟な粘着性シール層１４は、本質的に粘着性の材料を含んでもよく、または任意の露出表面に塗布される標準的な粘着剤を有してもよい。柔軟な粘着性シール層１４は、液体の流れがドレンに入るのを防止するために、ドレンまたは孔を囲む表面に接着するように粘着性を有し得る。一実施形態では、柔軟な粘着性シール層１４は、シール層が垂直壁に押し付けられた時に接着するように十分な粘着性を有する。シール層１４の粘着性は、ローリングボール、ピールおよびプローブ試験など、当業者に公知のその他の試験方法によっても測定され得る。柔軟な粘着性シール層１４は、０．０１〜２インチ、例えば０．１〜０．５インチの標準的な厚さを有する。
【００３０】
一実施形態では、様々なポリウレタンの混合物を使用してシール層１４を作製してもよい。典型的なポリウレタン混合物は、約５０〜約８０重量パーセントのポリオール、および約２０〜約５０重量パーセントのイソシアネートを含む。液体ポリウレタンは、ポリウレタン材料のすべての露出表面に対して中程度の本質的な粘着性を付与するように、混合かつ硬化される。成形および硬化工程は、小さな起伏を含み得る実質的に滑らかな露出表面を作り出す。ポリウレタン材料は軟質であり、弾力性があるため、ナイフを用いてユーザーによって簡単に切断され得る。一部分が切断される時に露出されるポリウレタン材料の表面も、本質的に粘着性であり得る。上記では本質的な粘着性を有するポリウレタンを製造するための工程が記載されるが、当業者であれば、例えば、ビニル、シリコンおよびゴムなどのその他の材料も本質的な粘着性を有するように変更され得ることを理解するであろう。
【００３１】
一実施形態では、低密度の結合層２０は、Ｚ方向の繊維または突起、または低密度の結合層内の開口部または隙間が少なくとも部分的に耐久性のあるバッキング層１２内に埋め込まれるように、硬化または冷却される前に、ホットエアロールラミネートを通して耐久性のあるバッキング層１２上に堆積されるか、耐久性のあるバッキング層１２と接触するようにしてもよい。低密度の結合層の繊維が耐久性のあるバッキング層１２内に埋め込まれると、またはその他の方法で接着されると、柔軟な粘着性シール層１４が低密度の結合層２０を含む耐久性のあるバッキング層１２の露出表面に塗布され得る。柔軟な粘着性シール層１４が硬化または冷却されるにつれて、低密度の結合層２０は、耐久性のあるバッキング層１２と柔軟な粘着性シール層１４との間の接着を向上させる。
【００３２】
本発明の一実施形態によれば、保護カバーは、バッキング層１２、柔軟な粘着性シール層１４、または低密度の結合層２０に、またはこれらに隣接して、任意のタイプの追加的な補強層を含まない。こうした非補強保護カバーは、長時間使用するのに十分な耐久性を有し、さまざまなタイプの漏洩部位での取り付けや取り外しを簡単とするのに十分な可撓性を維持し、比較的軽量であることが分かっている。
【００３３】
図７は、耐久性のあるバッキング層１１２が、接着層１１８によって低密度の結合層２０および柔軟な粘着性シール層１４に固定されていることを除いて、図６に示すカバーと類似した耐久性のある保護カバー１１０を図示する。接着層１１８は、ポリエチレン、ポリプロピレン、スチレンブタジエンゴム、スチレン、ナイロンなどを含むホットメルト接着剤などの任意の好適な接着剤を含み得る。例えば、接着層は、約０．００２インチの厚さを有するポリエチレンを含み得る。
【００３４】
本発明の耐久性のある保護カバーは、ドレンの周りに効果的なシールを形成し、一般的に軽量であり、大きなドレンに対しても迅速かつ簡単に実装可能である。耐久性のある保護カバーは、容易に再利用可能かつ搬送可能であり、緊急時にドレンおよび／または孔をシールするために迅速に実装され得る。保護カバーは、様々な異なるタイプおよびサイズのドレンおよび／または孔で使用するために実装され得、ドレン／孔の周りに緊密なシールを形成して不必要な液体がドレンまたは孔に入ることを遮断する。保護カバーはまた、ドレンの周辺またはその他の領域の周りに取り付けられて、防液堤または漏洩ダイバータとして機能し得るストリップ形態で提供されてもよい。保護カバーはまた、徒歩往来にさらされる領域、または人が有意な時間にわたって立っている領域内の抗疲労マットとして機能し得るが、この場合には、柔軟な粘着性シール層が衝撃吸収を提供してその所望の位置にカバーを維持し、耐久性のある層が徒歩往来および破片によって引き起こされる裂け、摩耗、および穿刺に抵抗する。
【００３５】
本明細書で使用される場合、「含む（ｉｎｃｌｕｄｉｎｇ）」、「含有する（ｃｏｎｔａｉｎｉｎｇ）」などの用語は、本出願の文脈において「含む（ｃｏｍｐｒｉｓｉｎｇ）」と同義であってオープンエンドであり、追加の、記載または列挙されていない要素、材料、段階または方法工程を排除しないものと理解される。本明細書で使用される場合、「から成る（ｃｏｎｓｉｓｔｉｎｇ  ｏｆ）」は、本出願の文脈では、明記されない要素、材料、段階または方法工程を排除するものと理解される。本明細書で使用される場合、「から本質的になる（ｃｏｎｓｉｓｔｉｎｇ  ｅｓｓｅｔｉａｌｌｙ  ｏｆ）」は、本出願の文脈では、明記した要素、材料、段階または方法工程を適宜含み、さらに、本発明の基本的または新規特性に実質的に影響を及ぼさない、明記されない要素、材料、段階、または方法工程を含むものと理解される。
【００３６】
本出願では、単数形の使用は、特に明記されていない限り複数を含み、複数は単数を包含する。さらに、本出願では、「または（ｏｒ）」の使用は、「および／または（ａｎｄ／ｏｒ）」が明示的に使用される場合もあるが、得に明記されていない限り「および／または（ａｎｄ／ｏｒ）」を意味する。本出願および添付の特許請求の範囲において、「一つの（ａ）」、「一つの（ａｎ）」及び「その（ｔｈｅ）」という用語は、明示かつ明確に一個の指示対象に限定しない限り、指示対象が複数である場合を含む。
【００３７】
例示のために本発明の特定の実施形態について説明してきたが、添付の特許請求の範囲で定義される本発明から逸脱することなく、本発明の詳細の様々な変更を行い得ることは当業者には明らかであろう。
【図１】
2019529180.tif 000003
【図２】
2019529180.tif 000004
【図３】
2019529180.tif 000005
【図４】
2019529180.tif 000006
【図５】
2019529180.tif 000007
【図６】
2019529180.tif 000008
【図７】
2019529180.tif 000009
【国際調査報告】
2019529180.tif 000010
2019529180.tif 000011